【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】  燃料電池装置に燃料供給する方法において、前記方法は４〜１２個の炭素原子を有する少なくとも１種の飽和脂肪族炭化水素を含むと共に：
２０容量％未満のオレフィン含有量と、
４２容量％未満の芳香族化合物含有量と、
２１５℃未満の最終沸点（ｆｂｐ）と、
２０ｐｐｍ未満の硫黄含有量と
を有することを特徴とする燃料組成物を提供し、
変換ユニットと燃料電池ユニットとからなる燃料電池装置を設け、
燃料組成物を変換ユニットに導入し、
変換ユニットを適する条件下で操作して燃料組成物の少なくとも幾分かを水素を含む生成物流まで変換させ、
変換ユニットで生成された水素を燃料電池ユニットに導入する
ことを特徴とする燃料電池装置に燃料供給する方法。
【請求項２】  燃料電池装置および内燃エンジンに燃料供給する方法において、前記方法は４〜１２個の炭素原子を有する少なくとも１種の飽和脂肪族炭化水素を含むと共に；
２０容量％未満のオレフィン含有量と、
４２容量％未満の芳香族化合物含有量と、
２１５℃未満の最終沸点（ｆｂｐ）と、
２０ｐｐｍ未満の硫黄含有量と
を特徴とする燃料組成物のための貯槽を設け、
前記貯槽における燃料組成物を燃料電池装置に供給する第１導管および前記貯槽における燃料組成物を内燃エンジンに供給する第２導管を設け、
前記貯槽における燃料組成物を前記第１導管を介し前記燃料電池装置に供給し、および／または
前記貯槽における燃料組成物を前記第２導管を介し前記内燃エンジンに供給することを特徴とする燃料電池装置および内燃エンジンに燃料供給する方法。
【請求項３】  前記燃料組成物を硫黄トラップに通過させることをさらに含む請求項１に記載の方法。
【請求項４】  前記燃料組成物を硫黄トラップに通過させることをさらに含む請求項２に記載の方法。
【請求項５】  硫黄トラップを第１および／または第２導管に位置せしめる請求項４に記載の方法。
【請求項６】  硫黄トラップを第３導管に位置せしめ、それを介し燃料組成物を第１および／または第２導管に流入する前に通過させる請求項４に記載の方法。
【請求項７】  内燃エンジンに使用する添加剤を第２導管における燃料組成物に添加するが、第１導管における燃料組成物は添加しないことをさらに含む請求項２、４、５または６に記載の方法。
【請求項８】  貯槽における燃料組成物または燃料電池装置を目的とする任意の燃料を汚染しないよう添加剤含有燃料を防止する手段を設けることをさらに含む請求項７に記載の方法。
【請求項９】  前記燃料組成物における飽和脂肪族炭化水素の量が５０容量％より大、好ましくは７０容量％より大、より好ましくは８０容量％より大、特に好ましくは９０容量％より大である請求項１〜８のいずれか一項に記載の方法。
【請求項１０】  燃料組成物が１０容量％未満、好ましくは５容量％未満、より好ましくは３容量％未満のオレフィン含有量を有する請求項１〜９のいずれか一項に記載の方法。
【請求項１１】  燃料組成物が３５容量％未満、好ましくは２５容量％未満、より好ましくは１０容量％未満の芳香族化合物含有量を有する請求項１〜１０のいずれか一項に記載の方法。
【請求項１２】  燃料組成物が好ましくは５容量％未満の量にて少なくとも１種のオキシジェネートを含有する請求項１〜１１のいずれか一項に記載の方法。
【請求項１３】  燃料組成物が１０重量ｐｐｍ未満、より好ましくは５ｐｐｍ未満、一層好ましくは１ｐｐｍ未満、特に好ましくは０．５ｐｐｍ未満の硫黄含有量を有する請求項１〜１２のいずれか一項に記載の方法。
【請求項１４】  燃料組成物が０．１重量ｐｐｍ未満の硫黄含有量を有する請求項１３に記載の方法。
【請求項１５】  燃料組成物が２００℃未満、より好ましくは１８５℃未満、特に好ましくは１８０℃未満の最終沸点（ｆｂｐ）を有する請求項１〜１４のいずれか一項に記載の方法。
【請求項１６】  燃料組成物が１５５〜１７５℃の範囲の最終沸点を有する請求項１５に記載の方法。
【請求項１７】  燃料組成物が８〜１２個の炭素原子、好ましくは８個もしくは１０個の炭素原子を有すると共に少なくとも４個のメチルおよび／またはエチル分枝鎖を有するアルカン「Ａ」もしくは式Ｒ−ＣＨ２−ＣＨ（ＣＨ３）−Ｃ（ＣＨ３）２−ＣＨ３（式中、Ｒは水素又はメチルである）を有する高分岐アルカンを少なくとも２容量％含む請求項１〜１６のいずれか一項に記載の方法。
【請求項１８】  燃料組成物が８〜１２個の炭素原子、好ましくは８個もしくは１０個の炭素原子を有すると共に少なくとも４個のメチルおよび／またはエチル分枝鎖を有する７０容量％より大、好ましくは８０容量％より大、より好ましくは９０容量％より大、特に好ましくは９５容量％より大のトリプタンもしくはアルカン「Ａ」を含む請求項１７に記載の方法。
【請求項１９】  燃料組成物が内燃エンジンに使用するための添加剤をさらに含む請求項１〜１８のいずれか一項に記載の方法。
【請求項２０】  燃料電池装置および内燃エンジンに使用するのに適する炭化水素燃料組成物において、前記炭化水素燃料組成物は４〜１２個の炭素原子を有する少なくとも１種の飽和脂肪族炭化水素を含むと共に：
２０容量％未満のオレフィン含有量と、
４２容量％未満の芳香族化合物含有量と、
２１５℃未満の最終沸点（ｆｂｐ）と、
２０ｐｐｍ未満の硫黄含有量と
を特徴とする炭化水素燃料組成物。
【請求項２１】  ２００℃未満の最終沸点（ｆｂｐ）を有する請求項２０に記載の燃料組成物。
【請求項２２】  燃料電池装置および内燃エンジンに使用するのに適する炭化水素燃料組成物において、前記炭化水素燃料組成物は４〜１２個の炭素原子を有する少なくとも１種の飽和脂肪族炭化水素を含むと共に：
２０容量％未満のオレフィン含有量と、
４２容量％未満の芳香族化合物含有量と、
１８５℃未満の最終沸点（ｆｂｐ）と、
２０ｐｐｍ未満の硫黄含有量と
を特徴とする炭化水素燃料組成物。
【請求項２３】  １８０℃未満の最終沸点（ｆｂｐ）を有する請求項２２に記載の燃料組成物。
【請求項２４】  １５５〜１７５℃の範囲の最終沸点を有する請求項２３に記載の燃料組成物。
【請求項２５】  前記燃料組成物における飽和脂肪族炭化水素の量が５０容量％より大、好ましくは７０容量％より大、より好ましくは８０容量％より大、特に好ましくは９０容量％より大である請求項２０〜２４のいずれか一項に記載の燃料組成物。
【請求項２６】  １０容量％未満、好ましくは５容量％未満、より好ましくは１容量％未満のオレフィン含有量を有する請求項２０〜２５のいずれか一項に記載の燃料組成物。
【請求項２７】  ３５容量％未満、好ましくは２５容量％未満、より好ましくは１０容量％未満の芳香族化合物含有量を有する請求項２０〜２６のいずれか一項に記載の燃料組成物。
【請求項２８】  少なくとも１種のオキシジェネートを好ましくは５容量％未満の量にて含有する請求項２０〜２７のいずれか一項に記載の燃料組成物。
【請求項２９】  １０重量ｐｐｍ未満、より好ましくは５ｐｐｍ未満、一層好ましくは１ｐｐｍ未満、特に好ましくは０．５ｐｐｍ未満の硫黄含有量を有する請求項２０〜２８のいずれか一項に記載の燃料組成物。
【請求項３０】  ０．１重量ｐｐｍ未満の硫黄含有量を有する請求項２９に記載の燃料組成物。
【請求項３１】  ８〜１２個の炭素原子、好ましくは８個もしくは１０個の炭素原子を有すると共に少なくとも４個のメチルおよび／またはエチル分枝鎖を有するアルカン「Ａ」もしくは式Ｒ−ＣＨ２−ＣＨ（ＣＨ３）−Ｃ（ＣＨ３）２−ＣＨ３（式中、Ｒは水素又はメチルである）を有する高分岐アルカンを少なくとも２容量％含む請求項２０〜３０のいずれか一項に記載の燃料組成物。
【請求項３２】  ８〜１２個の炭素原子、好ましくは８個もしくは１０個の炭素原子を有すると共に少なくとも４個のメチルおよび／またはエチル分枝鎖を有する７０容量％より大、好ましくは８０容量％より大、より好ましくは９０容量％より大、特に好ましくは９５容量％より大のトリプタンもしくはアルカン「Ａ」を含む請求項３１に記載の燃料組成物。
【請求項３３】  内燃エンジンに使用するための添加剤をさらに含む請求項２０〜３２のいずれか一項に記載の燃料組成物。
【請求項３４】  燃料電池自動車の燃料としての請求項２０〜３３のいずれか一項に記載の燃料組成物の使用。
【請求項３５】  イソパラフィン（アルキレート）とヒドロクラッケートとイソメレートとを配合することを特徴とする請求項２０〜３３のいずれか一項に記載の燃料組成物を作成するための、または請求項１〜１９もしくは３４〜４０のいずれか一項に記載の方法もしくは用途に使用するための方法。
【請求項３６】  用いるイソパラフィンの量が最終燃料組成物の２０〜８０容量％、好ましくは５０〜７０容量％、たとえば６０容量％を形成するような量である請求項３５に記載の方法。
【請求項３７】  用いるヒドロクラッケートの量が最終燃料組成物の５〜３５容量％、好ましくは１０〜３０容量％、たとえば２０容量％を形成するような量である請求項３５または３６に記載の方法。
【請求項３８】  使用するイソメレートの量が最終燃料組成物の１０〜５０容量％、好ましくは２０〜４０容量％、たとえば３０容量％を形成するような量である請求項３５〜３７のいずれか一項に記載の方法。
【請求項３９】  燃料組成物にはリフォーメートおよび／またはフルレンジ接触熱分解スピリット（ＦＲＣＣＳ）を含ませる請求項３５〜３８のいずれか一項に記載の方法。
【請求項４０】  リフォーメートを最終組成物の０〜４０容量％より大、たとえば２０容量％の量にて含ませる請求項３９に記載の方法。
【請求項４１】  ＦＲＣＣＳを０〜３０容量％より大、たとえば１５容量％の量にて燃料組成物に含ませる請求項３９または４０に記載の方法。